(57)【要約】 【課題】  パネル画面の高精細化を図ることが出来るＰＤＰを提供する。【解決手段】  行電極対（Ｘ１，Ｙ１）が形成されている前面ガラス基板１０の背面側に、放電空間Ｓ１を放電セルＣ１毎に区画する第１隔壁１２が形成され、背面ガラス基板１３の内面側に第１隔壁１２とともに放電空間Ｓ１を放電セルＣ１毎に区画する第２隔壁１５が形成され、第１隔壁１２のそれぞれ放電セルＣ１に面する側面に第１蛍光体層１６が形成され、第２隔壁１５のそれぞれ放電セルＣ１に面する側面および列電極保護層１４上に、第１隔壁側と同じ色の第２蛍光体層１７が形成されている。【選択図】      図５
2007066570.tif 000002
【特許請求の範囲】
【請求項１】
放電空間を介して互いに対向する前面基板および背面基板と、前面基板側に形成されて、行方向に延び列方向に並設された複数の行電極対およびこの行電極対を被覆する誘電体層と、背面基板側に形成されて、列方向に延び行方向に並設され行電極対とともに放電空間内に単位発光領域を形成する列電極およびこの列電極を被覆する列電極保護層とを備えたプラズマディスプレイパネルにおいて、
前記前面基板の背面側に形成されて放電空間を単位発光領域毎に区画する第１隔壁と、
前記背面基板の前面基板に対向する内面側に形成されて第１隔壁とともに放電空間を単位発光領域毎に区画する第２隔壁と、
前記第１隔壁のそれぞれ単位発光領域内に面する側面に形成された第１蛍光体層と、
前記第２隔壁のそれぞれ単位発光領域内に面する側面および列電極保護層上に形成された第２蛍光体層と、
を備えていることを特徴とするプラズマディスプレイパネル。
【請求項２】
前記第１隔壁が、行方向に延びる複数の第１横壁部と列方向に延びる複数の第１縦壁部とを有し、この第１横壁部と第１縦壁部の単位発光領域内に面する側面に第１蛍光体層が形成されている請求項１に記載のプラズマディスプレイパネル。
【請求項３】
前記第２隔壁が、第１隔壁の第１横壁部に対向する位置においてそれぞれ行方向に延びる複数の第２横壁部と、第１隔壁の第１縦壁部に対向する位置においてそれぞれ列方向に延びる複数の第２縦壁部とを有し、この第２横壁部と第２縦壁部の単位発光領域内に面する側面および列電極保護層の表面の第２横壁部と第２縦壁部に囲まれた部分に第２蛍光体層が形成されている請求項２に記載のプラズマディスプレイパネル。
【請求項４】
前記第２隔壁が、第１隔壁の第１縦壁部に対向する位置においてそれぞれ列方向に延びるストライプ形状に成形され、この第２隔壁の単位発光領域に面する側面および列電極保護層の表面の隣接する第２隔壁に挟まれた部分に第２蛍光体層が形成されている請求項２に記載のプラズマディスプレイパネル。
【請求項５】
前記第１隔壁が、第２隔壁の高さよりも高い高さを有している請求項１に記載のプラズマディスプレイパネル。
【請求項６】
前記第１隔壁の第１横壁部と第２隔壁の第２横壁部とが互いに当接されて、列方向に隣接する単位発光領域の間の連通が遮断されているとともに、第１縦壁部と第２縦壁部との間に隙間が形成されて、この隙間を介して行方向に隣接する単位発光領域の間が互いに連通されている請求項３に記載のプラズマディスプレイパネル。
【請求項７】
前記第２隔壁の第２横壁部の高さが第２縦壁部の高さよりも高くなっていることによって、第２縦壁部と第１隔壁の第１縦壁部との間に隙間が形成されている請求項６に記載のプラズマディスプレイパネル。
【請求項８】
前記第１隔壁の第１縦壁部と第２隔壁との間に隙間が形成されて、この隙間を介して行方向に隣接する単位発光領域の間が互いに連通されている請求項４に記載のプラズマディスプレイパネル。
【請求項９】
前記行電極対を構成する各行電極が、行方向に延びる行電極本体部と、この行電極本体部から単位発光領域に対向する部分毎に対になっている相手の行電極側に向けて列方向に突出して互いに放電ギャップを介して対向される複数の行電極突出部とを有し、
前記第１隔壁の第１横壁部が、それぞれ、行電極の行電極本体部に対向する位置に配置されている請求項２に記載のプラズマディスプレイパネル。
【請求項１０】
隣接する前記行電極対の互いに背中合わせに位置する行電極が、一本の行電極本体部を共用しており、第１隔壁の第１横壁部が、それぞれ、背中合わせに位置する行電極間で共用されている行電極本体部に対向する位置に配置されている請求項２に記載のプラズマディスプレイパネル。
【発明の詳細な説明】
【技術分野】
【０００１】
この発明は、プラズマディスプレイパネルの構成に関する。
【背景技術】
【０００２】
図１ないし３は、従来のプラズマディスプレイパネル（以下、ＰＤＰという）の構成を示しており、図１はこの従来のＰＤＰの正面図、図２は図１のＶ−Ｖ線における断面図、図３は図１のＷ−Ｗ線における断面図である。
【０００３】
この図１ないし３に示される従来のＰＤＰは、表示面である前面ガラス基板１の背面に、複数の行電極対（Ｘ，Ｙ）が前面ガラス基板１の行方向（図１の左右方向）に延びるように平行に並設されている。
【０００４】
そして、各行電極Ｘ，Ｙは、それぞれ、列方向に互いに所要の間隔を開けて行方向に平行に延びるバス電極Ｘａ，Ｙａと、このバス電極Ｘａ，Ｙａに沿って等間隔に配列されるとともに互いに放電ギャップｇを介して対向される複数の透明電極Ｘｂ，Ｙｂとによって構成されている。
【０００５】
前面ガラス基板１の背面には、さらに、行電極対（Ｘ，Ｙ）を被覆する誘電体層２が形成されており、この誘電体層２の背面には、互いに隣接する行電極対（Ｘ，Ｙ）の背中合わせに位置するバス電極Ｘａ，Ｙａとこの間の領域に対向する位置に、誘電体層２の背面から突出する嵩上げ誘電体層２Ａが行方向に延びるように形成されている。
【０００６】
そして、この誘電体層２と嵩上げ誘電体層２Ａの背面側には、ＭｇＯからなる保護層３が形成されている。
【０００７】
一方、前面ガラス基板１と平行に対向される背面ガラス基板４の表示側の面上には、列電極Ｄが、各行電極対（Ｘ，Ｙ）の互いに対になった透明電極ＸｂとＹｂに対向する位置において行電極対（Ｘ，Ｙ）と直交する方向（列方向）に延びるとともに行方向に所定の間隔を開けて並設されている。
【０００８】
背面ガラス基板４の前面ガラス基板１に対向する表示側の面上には、さらに、列電極Ｄを被覆する列電極保護層５が形成され、この列電極保護層５上に、隔壁６が形成されている。
【０００９】
この隔壁６は、嵩上げ誘電体層２Ａに対向する位置において行方向に延びる横壁６Ａと各列電極Ｄの間に対向する位置において列方向に延びる縦壁６Ｂとによって梯子形状に成形されており、この隔壁６によって、前面ガラス基板１と背面ガラス基板４の間の放電空間Ｓが、各行電極対（Ｘ，Ｙ）において対になっている透明電極Ｘｂ，Ｙｂに対向する部分毎に区画されて、それぞれ方形の放電セルＣが形成されている。
【００１０】
そして、隔壁６の縦壁６Ｂの先端面は保護層３に当接されておらず、その間に隙間ｒが形成されているが、横壁６Ａの先端面が保護層３の嵩上げ誘電体層２Ａを被覆している部分に当接されていて、列方向において隣接する放電セルＣ間の連通がそれぞれ遮断されている。
【００１１】
各放電セルＣ内には、放電セルＣ毎に色分けされた赤，緑，青の蛍光体層７がそれぞれ形成されている（例えば、特許文献１参照）。
【００１２】
上記のような従来のＰＤＰは、各放電セルＣ内において、行電極Ｙの透明電極Ｙｂと列電極Ｄとの間で選択的にアドレス放電が発生され、行電極Ｘの透明電極Ｘｂと行電極Ｙの透明電極Ｙｂとの間でサステイン放電が発生される。
【００１３】
上記のような構成の従来のＰＤＰは、隔壁６の縦壁６Ｂと保護層３との間に形成された隙間ｒによって、ＰＤＰの製造工程時の放電空間内からの排気通路および放電空間への放電ガスの導入通路が確保される。
【００１４】
近年、ＰＤＰに対して、例えばフルＨＤ等のパネル画面の高精細化への要求が高まってきている。
【００１５】
しかしながら、この画面の高精細化のために各放電セルＣのサイズが小さくなると、上記のような構成のＰＤＰにおいては、隙間ｒを介して行方向に隣接する放電セルＣ間で放電の干渉が発生する虞が生じてくる。
【００１６】
このため、発光セル（アドレス放電によって選択された放電セル）内においてサステイン放電が発生された際に、行方向に隣接する非発光セル（アドレス放電によって選択されなかった放電セル）に発光セルから放電が伝播して、例えば、もともと赤で点灯するはずが白に近い色で点灯してしまうといった色ずれが発生する虞が生じる。
【００１７】
このような色ずれは、ＰＤＰの製造工程時に前面ガラス基板１と背面ガラス基板４との間に重ね合わせ位置のずれが生じている場合には、さらに早く進行する。
【００１８】
さらに、上記従来のＰＤＰの構成では、パネル画面の高精細化に伴う放電セルＣのサイズの縮小によって、各放電セルＣ内の蛍光体層７の発光面積が減少して、輝度が低下しまうという問題が発生する。
【００１９】
【特許文献１】特開２０００−３１１６１２号公報
【発明の開示】
【発明が解決しようとする課題】
【００２０】
この発明は、上記のような従来のＰＤＰにおける問題点を解決することをその技術的課題の一つとしている。
【課題を解決するための手段】
【００２１】
この発明（請求項１に記載の発明）によるＰＤＰは、上記課題を達成するために、放電空間を介して互いに対向する前面基板および背面基板と、前面基板側に形成されて、行方向に延び列方向に並設された複数の行電極対およびこの行電極対を被覆する誘電体層と、背面基板側に形成されて、列方向に延び行方向に並設され行電極対とともに放電空間内に単位発光領域を形成する列電極およびこの列電極を被覆する列電極保護層とを備えたプラズマディスプレイパネルにおいて、前記前面基板の背面側に形成されて放電空間を単位発光領域毎に区画する第１隔壁と、前記背面基板の前面基板に対向する内面側に形成されて第１隔壁とともに放電空間を単位発光領域毎に区画する第２隔壁と、前記第１隔壁のそれぞれ単位発光領域内に面する側面に形成された第１蛍光体層と、前記第２隔壁のそれぞれ単位発光領域内に面する側面および列電極保護層上に形成された第２蛍光体層とを備えていることを特徴としている。
【発明を実施するための最良の形態】
【００２２】
この発明は、行電極対が形成されている前面基板の背面側に、放電空間を単位発光領域毎に区画する第１隔壁が形成され、背面基板の前面基板に対向する内面側に第１隔壁とともに放電空間を単位発光領域毎に区画する第２隔壁が形成され、第１隔壁のそれぞれ単位発光領域内に面する側面に第１蛍光体層が形成され、さらに、第２隔壁のそれぞれ単位発光領域内に面する側面および列電極保護層上に、第１隔壁側と同じ色の第２蛍光体層が形成されているＰＤＰを、その最良の実施形態としている。
【００２３】
この実施形態によるＰＤＰは、サステイン放電を発生させる行電極対が形成された前面基板側の単位発光領域に面する部分に、背面基板側に形成された第２隔壁とともに放電空間を単位発光領域毎に区画する第１隔壁が形成されていることにより、この第１隔壁によって、単位発光領域内の前面基板に近接する領域部分で発生されるサステイン放電が隣接する他の単位発光領域内に拡がるのが抑制されて、例えば、パネル画面の高精細化に伴って各単位発光領域のサイズがそれぞれ小さくなる場合であっても、隣接する単位発光領域間において放電の干渉が発生する虞が無くなり、従来のＰＤＰにおけるような放電の干渉による色ずれの発生を防止することが出来るようになる。
【００２４】
そして、上記ＰＤＰは、背面基板側に形成された第２蛍光体層に加えて、前面基板側の第１隔壁の単位発光領域内に面する側面に第１蛍光体層が形成されていることによって、パネル画面の高精細化にともなって各単位発光領域のサイズが小さくなる場合でも、蛍光体層の十分な発光面積が確保されて、輝度の低下を防止することが出来るようになる。
【００２５】
上記ＰＤＰにおいて、第１隔壁が、行方向に延びる複数の第１横壁部と列方向に延びる複数の第１縦壁部とを有し、この第１横壁部と第１縦壁部の単位発光領域内に面する側面に第１蛍光体層が形成されている場合には、行方向および列方向に隣接する単位発光領域間での放電の干渉の発生を防止することが出来るとともに、第１隔壁側に形成される第１蛍光体層の発光面積を広く確保することが出来るようになる。
【００２６】
上記ＰＤＰにおいて、第２隔壁が、第１隔壁の第１横壁部に対向する位置においてそれぞれ行方向に延びる複数の第２横壁部と、第１隔壁の第１縦壁部に対向する位置においてそれぞれ列方向に延びる複数の第２縦壁部とを有し、この第２横壁部と第２縦壁部の単位発光領域内に面する側面および列電極保護層の表面の第２横壁部と第２縦壁部に囲まれた部分に第２蛍光体層が形成されている場合には、行方向および列方向に隣接する単位発光領域間での放電の干渉の発生をさらに確実に防止することが出来るとともに、第１蛍光体層とともに第２蛍光体層の発光面積を広く確保することが出来るようになる。
【００２７】
上記ＰＤＰにおいて、第２隔壁が、第１隔壁の第１縦壁部に対向する位置においてそれぞれ列方向に延びるストライプ形状に成形され、この第２隔壁の単位発光領域に面する側面および列電極保護層の表面の隣接する第２隔壁に挟まれた部分に第２蛍光体層が形成されている場合には、この第２隔壁と第１隔壁によって、隣接する単位発光領域間での放電の干渉の発生を防止することが出来るとともに、第１蛍光体層と第２蛍光体層とによる蛍光体層の発光面積を広く確保することが出来るようになる。
【００２８】
上記ＰＤＰにおいて、第１隔壁が、第２隔壁の高さよりも高い高さを有している場合には、単位発光領域内の前面基板に近接する領域部分で発生されるサステイン放電が隣接する他の単位発光領域内に拡がるのをさらに確実に抑制することが出来るようになり、これによって、パネル画面の高精細化に伴って各単位発光領域のサイズがそれぞれ小さくなる場合であっても、隣接する単位発光領域間における放電の干渉を確実に防止することが出来るようになるので、前面基板と背面基板の重ね合わせ位置のずれに対する許容度が従来のＰＤＰに比べて大きくなって、前面基板と背面基板の重ね合わせ位置に僅かなずれが生じている場合でも、色ずれの発生を抑制することが出来るようになる。
【００２９】
上記ＰＤＰにおいて、第１縦壁部と第２縦壁部との間に隙間が形成されて、この隙間を介して行方向に隣接する単位発光領域の間が互いに連通されている場合には、ＰＤＰの製造工程における放電空間内からの排気と放電空間内への放電ガスの導入の通路が確保される。この隙間は、例えば、第２隔壁の第２横壁部の高さが第２縦壁部の高さよりも高くなっていることによって形成される。
【００３０】
上記ＰＤＰにおいて、行電極対を構成する各行電極が行電極本体部と行電極突出部とによって構成され、隣接する行電極対の互いに背中合わせに位置する行電極が、一本の行電極本体部を共用している場合には、第１隔壁の第１横壁部が、それぞれ背中合わせに位置する行電極間で共用されている行電極本体部に対向する位置に配置されることによって、パネルの非表示領域の面積が小さくなって、その分、各単位発光領域のサイズを大きくすることが出来るので、パネル画面の高精細化を図る際に、第１蛍光体層および第２蛍光体層の大きな発光面積を確保して、輝度の低下を防止することが出来るようになる。
【実施例１】
【００３１】
図４ないし８は、この発明の実施形態における第１実施例を示しており、図４はこの第１実施例におけるＰＤＰの正面図，図５は図４のＶ１−Ｖ１線における断面図、図６は図４のＶ２−Ｖ２線における断面図，図７は図４のＷ１−Ｗ１線における断面図、図８は図４のＷ２−Ｗ２線における断面図である。
【００３２】
図４ないし８において、ＰＤＰは、表示面である前面ガラス基板１０の背面に、複数の行電極対（Ｘ１，Ｙ１）が、前面ガラス基板１０の行方向（図４の左右方向）に延びるとともに列方向（図４の上下方向）に等間隔に並設されている。
【００３３】
この行電極対（Ｘ１，Ｙ１）を構成する行電極Ｘ１は、行方向に帯状に延びる金属製のバス電極Ｘ１ａと、このバス電極Ｘ１ａの等間隔位置に接続されて対になっている行電極Ｙ１側に向かって列方向に延びる複数の略Ｔ字形状の透明電極Ｘ１ｂとから構成されている。
【００３４】
行電極Ｙ１も同様に、行方向に帯状に延びる金属製のバス電極Ｙ１ａと、このバス電極Ｙ１ａの等間隔位置に接続されて対になっている行電極Ｘ１側に向かって列方向に延びる複数の略Ｔ字形状の透明電極Ｙ１ｂとから構成されている。
【００３５】
そして、行電極Ｘ１の各透明電極Ｘ１ｂと行電極Ｙ１の各透明電極Ｙ１ｂとがそれぞれ対になって、放電ギャップｇ１を介して互いに対向されている。
【００３６】
前面ガラス基板１０の背面には、さらに誘電体層１１が形成されて、この誘電体層１１によって行電極対（Ｘ１，Ｙ１）が被覆されている。
【００３７】
そして、誘電体層１１の表面は、ＭｇＯ等の高γ材料によって形成された図示しない保護層により被覆されている。
【００３８】
この誘電体層１１の背面上には、下記の様な形状の第１隔壁１２が形成されている。
【００３９】
すなわち、各第１隔壁１２は、各行電極対（Ｘ１，Ｙ１）毎に、行電極Ｘ１，Ｙ１のバス電極Ｘ１ａ，Ｙ１ａに対向する位置においてそれぞれ行方向に延びる一対ずつの第１横壁１２Ａと、この互いに平行に延びる一対の第１横壁１２Ａの間において、隣接する透明電極Ｘ１ｂ，Ｙ１ｂの対のそれぞれの中間位置に対向する位置を列方向に延びる複数の第１縦壁１２Ｂとによって略梯子形状に成形されている。
【００４０】
そして、隣接する行電極対（Ｘ１，Ｙ１）に対向する第１隔壁１２の間（互いに背中合わせに位置する第１横壁１２Ａの間）に、行方向に延びる第１隙間ＳＬ１がそれぞれ形成されている。
【００４１】
一方、前面ガラス基板１０と平行に対向される背面ガラス基板１３の内面（前面ガラス基板１０に対向される側の面）上には、行電極対（Ｘ１，Ｙ１）の放電ギャップｇ１を介して対向して対になっている透明電極Ｘ１ｂ，Ｙ１ｂに対向する位置に、それぞれ、列方向に延びる複数の列電極Ｄ１が形成されている。
【００４２】
この背面ガラス基板１３の内面上には、さらに列電極保護層１４が形成されて、この列電極保護層１４によって列電極Ｄ１が被覆されている。
【００４３】
この列電極保護層１４上には、以下の様な形状の第２隔壁１５が形成されている。
【００４４】
すなわち、この第２隔壁１５は、上述した第１隔壁１２の平面形状とほぼ同一の平面形状を有しており、各行電極対（Ｘ１，Ｙ１）毎に、行電極Ｘ１，Ｙ１のバス電極Ｘ１ａ，Ｙ１ａに対向する位置においてそれぞれ行方向に延びる一対ずつの第２横壁１５Ａと、この互いに平行に延びる一対の第２横壁１５Ａの間において、互いに隣接する透明電極Ｘ１ｂ，Ｙ１ｂの対のそれぞれの中間位置に対向する位置を列方向に延びる複数の第２縦壁１５Ｂとによって略梯子形状に成形されている。
【００４５】
そして、隣接する行電極対（Ｘ１，Ｙ１）に対向する第２隔壁１５の間（互いに背中合わせに位置する第２横壁１５Ａの間）に、行方向に延びる第２隙間ＳＬ２がそれぞれ形成されている。
【００４６】
この第２隔壁１５の第２横壁１５Ａは、第１隔壁１２の第１横壁１２Ａに対向されて、互いに先端面が当接されている。
【００４７】
第２隔壁１５の第２縦壁１５Ｂは、第１隔壁１２の第１横壁１２Ａに対向されているが、互いの先端面は当接されておらず、この第１縦壁１２Ｂと第２縦壁１５Ｂの間に隙間ｒ１が形成されている。
【００４８】
この隙間ｒ１の形成は、例えば、第１隔壁１２の第１縦壁１２Ｂが第１横壁１２Ａよりも高さが低くなるように形成されたり、第２隔壁１５の第２縦壁１５Ｂが第２横壁１５Ａの高さよりも低くなるように形成されることによって行われるが、後述するような放電の干渉を確実に防止するためには、第２隔壁１５の第２縦壁１５Ｂが第２横壁１５Ａの高さよりも低くなるように形成するのが好ましい。
【００４９】
そして、第２隔壁１５の第２横壁１５Ａと第２縦壁１５Ｂが、その高さが低くなるように形成され、第１隔壁１２の第１横壁１２Ａと第１縦壁１２Ｂが、何れも、第２隔壁１５の第２横壁１５Ａと第２縦壁１５Ｂの高さよりも高さが高くなるように形成されていて、例えば、３０μｍ以上の高さになるように形成されている。
【００５０】
この第１隔壁１２と第２隔壁１５によって、前面ガラス基板１０と背面ガラス基板１３の間に形成される放電空間Ｓ１が、各行電極対（Ｘ１，Ｙ１）の放電ギャップｇ１を介して対になっている透明電極Ｘ１ｂ，Ｙ１ｂに対向する部分毎に区画されて、それぞれ方形の放電セルＣ１が形成されている。
【００５１】
また、第１隙間ＳＬ１と第２隙間ＳＬ２が重なり合って、一つの隙間を形成している。
【００５２】
そして、各放電セルＣ１内には、第１隔壁１２の第１横壁１２Ａと第１縦壁１２Ｂの四つの側面に、それぞれ、放電セルＣ１毎に色分けされた赤，緑，青の第１蛍光体層１６が、この赤，緑，青の順に行方向に並ぶように形成され、さらに、第２隔壁１５の第２横壁１５Ａと第２縦壁１５Ｂの側面および列電極保護層１４の表面の五つの面に、赤，緑，青のうち第１隔壁１２側の第１蛍光体層１６と同じ色の第２蛍光体層１７が形成されている。
【００５３】
前面ガラス基板１０と背面ガラス基板１３の間の放電空間Ｓ１は、この前面ガラス基板１０と背面ガラス基板１３の間の周縁部に沿って形成された図示しない封着層によって封止されているとともに、この放電空間Ｓ１内にキセノンを含む放電ガスが封入されている。
【００５４】
上記ＰＤＰは、放電セルＣ１内において、行電極対（Ｘ１，Ｙ１）の行電極Ｙ１の透明電極Ｙ１ｂと列電極Ｄ１との間で選択的にアドレス放電が行われる。
【００５５】
そして、この後、アドレス放電によって選択された放電セル（発光セル）Ｃ１内において、行電極Ｘ１，Ｙ１の透明電極Ｘ１ｂとＹ１ｂ間で放電ギャップｇ１を介してサステイン放電が行われ、このサステイン放電によって放電ガス中のキセノンから発生される真空紫外線によって励起されて、赤，緑，青の各第１蛍光体層１６および第２蛍光体層１７が発光することにより、マトリクス表示による画像が形成される。
【００５６】
上記ＰＤＰは、前面ガラス基板１０側に形成された第１隔壁１２の第１縦壁１２Ｂの高さが第２縦壁１５Ｂの高さよりも高く、例えば、３０μｍ以上になっていることによって、第１縦壁１２Ｂと第２縦壁１５Ｂとの間の隙間ｒ１が前面ガラス基板１０側から従来のＰＤＰよりも離間した位置に位置されているので、第１縦壁１２Ｂによって、行方向に隣接する放電セルＣ１間で放電の干渉が発生するのが防止される。
【００５７】
また、第１隔壁１２の第１横壁１２Ａと第２隔壁１５の第２横壁１５Ａがそれぞれ互いに当接されていることによって、列方向に隣接する放電セルＣ１間の連通が遮断されて、列方向に隣接する放電セルＣ１間で放電の干渉が発生するのが防止される。
【００５８】
これによって、画面の高精細化によって各放電セルＣ１のサイズが小さくなる場合でも、隣接する放電セルＣ１間において放電の干渉が発生する虞が無くなり、従来のＰＤＰにおけるような放電の干渉による色ずれの発生を防止することが出来る。
【００５９】
さらに、上記ＰＤＰは、第２隔壁１５の第２横壁１５Ａと第２縦壁１５Ｂの高さが低く、第１隔壁１２の第１横壁１２Ａと第１縦壁１２Ｂが、何れも、第２隔壁１５の第２横壁１５Ａと第２縦壁１５Ｂよりも高さが高くなるように形成されていることによって、隣接する放電セルＣ１間における放電の干渉の発生が第１隔壁１２によって防止されるので、前面ガラス基板１０と背面ガラス基板１３の重ね合わせ位置のずれに対する許容度が従来のＰＤＰに比べて大きくなり、これによって、前面ガラス基板１０と背面ガラス基板１３の重ね合わせ位置に僅かなずれが生じている場合でも、色ずれの発生を抑制することが出来る。
【００６０】
そして、上記ＰＤＰは、背面ガラス基板１３側に形成された第２蛍光体層１７に加えて、前面ガラス基板１０側の第１隔壁１２の四つの側面に第１蛍光体層１６が形成されており、これによって、パネル画面の高精細化によって各放電セルＣ１のサイズが小さくなる場合でも、蛍光体層の十分な発光面積が確保されて、輝度の低下を防止することが出来る。
【００６１】
なお、上記においては、各第２隔壁１５が、第１隔壁１２と同様の略梯子形状に成形されている例が示されているが、この第２隔壁１５の代わりに、白色誘電体層１４上に、第１隔壁１２の第１縦壁１２Ｂに対向する位置においてそれぞれ列方向に延びるストライプ形状の第２隔壁を形成するようにしても良い。
【実施例２】
【００６２】
図９ないし１１は、この発明の実施形態における第２実施例を示しており、図９はこの第２実施例におけるＰＤＰの正面図，図１０は図９のＶ３−Ｖ３線における断面図、図１１は図９のＷ３−Ｗ３線における断面図である。
【００６３】
この第２実施例のＰＤＰは、図９ないし１１において、前面ガラス基板１０の背面上に形成された行電極対（Ｘ２，Ｙ２）を構成する行電極Ｘ２とＹ２が、隣接する行電極対（Ｘ２，Ｙ２）間で交互に入れ替わった配置、すなわち、隣接する行電極対（Ｘ２，Ｙ２）の行電極Ｘ２同士および行電極Ｙ２同士が互いに背中合わせに位置するように配置されている。
【００６４】
そして、この隣接する行電極対（Ｘ２，Ｙ２）の互いに背中合わせに位置する行電極Ｘ２がバス電極Ｘ２ａを共有していて、このバス電極Ｘ２ａから略Ｔ字形状の透明電極Ｘ２ｂが列方向の両側に突出して、それぞれの行電極対（Ｘ２，Ｙ２）の行電極Ｘ２を構成している。
【００６５】
同様に、互いに背中合わせに位置する行電極Ｙ２がバス電極Ｙ２ａを共有していて、このバス電極Ｙ２ａから略Ｔ字形状の透明電極Ｙ２ｂが列方向の両側に突出して、それぞれの行電極対（Ｘ２，Ｙ２）の行電極Ｙ２を構成している。
【００６６】
そして、各行電極対（Ｘ２，Ｙ２）において、対になっている透明電極Ｘ２ｂとＹ２ｂが、それぞれ、互いに放電ギャップｇ２を介して対向されている。
【００６７】
この行電極対（Ｘ２，Ｙ２）は、前面ガラス基板１０の背面に形成された誘電体層２１によって被覆され、さらに、この誘電体層２１の表面が、ＭｇＯ等の高γ材料によって形成された図示しない保護層によって被覆されている。
【００６８】
この誘電体層１１の背面上には、下記の様な形状の第１隔壁２２が形成されている。
【００６９】
すなわち、この第１隔壁２２は、それぞれ、行電極Ｘ２，Ｙ２のバス電極Ｘ２ａ，Ｙ２ａに対向する位置においてそれぞれ行方向に延びる複数の第１横壁２２Ａと、隣接する透明電極Ｘ２ｂ，Ｙ２ｂの対のそれぞれの中間位置に対向する位置において列方向に延びる複数の第１縦壁２２Ｂとによって略格子形状に成形されている。
【００７０】
一方、前面ガラス基板１０と平行に対向される背面ガラス基板１３の内面（前面ガラス基板１０に対向される側の面）上には、行電極対（Ｘ２，Ｙ２）の対になっている透明電極Ｘ２ｂ，Ｙ２ｂに対向する位置に、それぞれ、列方向に延びる複数の列電極Ｄ１が形成されている。
【００７１】
この背面ガラス基板１３の内面上には、さらに列電極保護層１４が形成されて、この列電極保護層１４によって列電極Ｄ１が被覆されている。
【００７２】
この列電極保護層１４上には、前面ガラス基板１０側の第１隔壁２２の各第１縦壁２２Ｂに対向する位置において、それぞれ、列方向にストライプ状に延びる第２隔壁２５が形成されている。
【００７３】
この第２隔壁２５と第１隔壁２２の第１縦壁２２Ｂは、互いの先端面が当接されておらず、その間に隙間ｒ２が形成されている。
【００７４】
そして、第１隔壁２２の第１横壁２２Ａと第１縦壁２２Ｂが、何れも、第２隔壁２５の高さよりも高さが高くなるように形成されていて、例えば、３０μｍ以上の高さになるように形成されている。
【００７５】
この第１隔壁２２と第２隔壁２５によって、前面ガラス基板１０と背面ガラス基板１３の間に形成される放電空間Ｓ１が、各行電極対（Ｘ２，Ｙ２）の放電ギャップｇ２を介して対になっている透明電極Ｘ２ｂ，Ｙ２ｂに対向する部分毎に区画されて、それぞれ方形の放電セルＣ２が形成されている。
【００７６】
そして、各放電セルＣ２内には、第１隔壁２２の第１横壁２２Ａと第１縦壁２２Ｂの四つの側面に、それぞれ、放電セルＣ２毎に色分けされた赤，緑，青の第１蛍光体層２６が、この赤，緑，青の順に行方向に並ぶように形成され、さらに、第２隔壁２５の側面および列電極保護層１４の表面に、赤，緑，青のうち第１隔壁２２側の第１蛍光体層２６と同じ色の第２蛍光体層２７が形成されている。
【００７７】
前面ガラス基板１０と背面ガラス基板１３の間の放電空間Ｓ１は、この前面ガラス基板１０と背面ガラス基板１３の間の周縁部に沿って形成された図示しない封着層によって封止されているとともに、この放電空間Ｓ１内にキセノンを含む放電ガスが封入されている。
【００７８】
上記ＰＤＰは、前述した第１実施例のＰＤＰと同様に、行電極対（Ｘ２，Ｙ２）の行電極Ｙ２の透明電極Ｙ２ｂと列電極Ｄ１との間で選択的に行われるアドレス放電と、アドレス放電によって選択された放電セル（発光セル）Ｃ２において、行電極Ｘ２，Ｙ２の透明電極Ｘ２ｂとＹ２ｂ間で放電ギャップｇ２を介して行われるサステイン放電によって、赤，緑，青の各第１蛍光体層２６および第２蛍光体層２７が発光することにより、マトリクス表示による画像を形成する。
【００７９】
上記ＰＤＰは、前面ガラス基板１０側に形成された第１隔壁２２の高さが第２縦壁２５Ｂの高さよりも高く、例えば、３０μｍ以上になっていることにより、この第１隔壁２２によって、放電が行方向および列方向に隣接する放電セルＣ２に拡がるのが防止されて、この隣接する放電セルＣ２間で放電の干渉が発生するのが防止される。
【００８０】
これによって、画面の高精細化によって各放電セルＣ２のサイズが小さくなる場合でも、隣接する放電セルＣ２間において放電の干渉が発生する虞が無くなり、従来のＰＤＰにおけるような放電の干渉による色ずれの発生を防止することが出来る。
【００８１】
さらに、第２隔壁２５の高さが低く、第１隔壁２２の第１横壁２２Ａと第１縦壁２２Ｂの高さが何れも第２隔壁２５の高さよりも高くなるように形成されていて、この第１隔壁２２によって隣接する放電セルＣ２間における放電の干渉の発生が防止されるので、前面ガラス基板１０と背面ガラス基板１３の重ね合わせ位置のずれに対する許容度が従来のＰＤＰに比べて大きくなって、前面ガラス基板１０と背面ガラス基板１３の重ね合わせ位置に僅かなずれが生じている場合でも、色ずれの発生を抑制することが出来る。
【００８２】
そして、上記ＰＤＰは、背面ガラス基板１３側に形成された第２蛍光体層２７に加えて、前面ガラス基板１０側の第１隔壁２２の四つの側面に第１蛍光体層２６が形成されており、これによって、画面の高精細化によって各放電セルＣ２のサイズが小さくなる場合でも、蛍光体層の十分な発光面積が確保されて、輝度の低下を防止することが出来る。
【００８３】
さらに、上記ＰＤＰは、隣接する行電極対（Ｘ２，Ｙ２）の互いに背中合わせに位置する行電極Ｘ２、Ｙ２が、それぞれ一本のバス電極Ｘ２ａ，Ｙ２ａを共用しており、第１隔壁２２の第１横壁部２２Ａが、それぞれバス電極Ｘ２ａ，Ｙ２ａに対向する位置に配置されるので、パネルの非表示領域の面積が小さくなって、その分、各放電セルＣ２のサイズを大きくすることが出来、これによって、パネル画面の高精細化を図る際に、第１蛍光体層２６および第２蛍光体層２７の大きな発光面積を確保して、輝度の低下を防止することが出来るようになる。
【００８４】
なお、上記においては、第２隔壁２５がそれぞれ列方向に延びるストライプ形状に成形されている例が示されているが、この第２隔壁２５の代わりに、第１隔壁２２と同様の略格子形状に成形されて、第２横壁と第２縦壁がそれぞれ第１隔壁２２の第１横壁２２Ａと第１縦壁２２Ｂに対向される第２隔壁を形成するようにしても良い。
【００８５】
上記各実施例のＰＤＰは、行電極対が形成されている前面基板の背面側に、放電空間を単位発光領域毎に区画する第１隔壁が形成され、背面基板の前面基板に対向する内面側に第１隔壁とともに放電空間を単位発光領域毎に区画する第２隔壁が形成され、第１隔壁のそれぞれ単位発光領域内に面する側面に第１蛍光体層が形成され、さらに、第２隔壁のそれぞれ単位発光領域内に面する側面および列電極保護層上に、第１隔壁側と同じ色の第２蛍光体層が形成されているＰＤＰを、その上位概念としている。
【００８６】
この上位概念を構成するＰＤＰは、発光のためのサステイン放電を発生させる行電極対が形成された前面基板側の単位発光領域に面する部分に、背面基板側に形成された第２隔壁とともに放電空間を単位発光領域毎に区画する第１隔壁が形成されていることにより、この第１隔壁によって、単位発光領域内の前面基板に近接する領域部分で発生されるサステイン放電が隣接する他の単位発光領域内に拡がるのが抑制されて、例えば、パネル画面の高精細化に伴って各単位発光領域のサイズがそれぞれ小さくなる場合であっても、隣接する単位発光領域間において放電の干渉が発生する虞が無くなり、従来のＰＤＰにおけるような放電の干渉による色ずれの発生を防止することが出来るようになる。
【００８７】
そして、このＰＤＰは、背面基板側に形成された第２蛍光体層に加えて、前面基板側の第１隔壁１２の単位発光領域内に面する側面にも第１蛍光体層が形成されていることによって、パネル画面の高精細化にともなって各単位発光領域のサイズが小さくなる場合でも、蛍光体層の十分な発光面積が確保されて、輝度の低下を防止することが出来るようになる。
【図面の簡単な説明】
【００８８】
【図１】従来のＰＤＰを示す正面図である。
【図２】図１のＶ−Ｖ線における断面図である。
【図３】図１のＷ−Ｗ線における断面図である。
【図４】この発明の実施形態における第１実施例を示す正面図である。
【図５】図４のＶ１−Ｖ１線における断面図である。
【図６】図４のＶ２−Ｖ２線における断面図である。
【図７】図４のＷ１−Ｗ１線における断面図である。
【図８】図４のＷ２−Ｗ２線における断面図である。
【図９】この発明の実施形態における第２実施例を示す正面図である。
【図１０】図９のＶ３−Ｖ３線における断面図である。
【図１１】図９のＷ３−Ｗ３線における断面図である。
【符号の説明】
【００８９】
１０                            …前面ガラス基板（前面基板）
１１                            …誘電体層
１２，２２                      …第１隔壁
１２Ａ，２２Ａ                  …第１横壁（第１横壁部）
１２Ｂ，２２Ｂ                  …第１縦壁（第１縦壁部）
１３                            …背面ガラス基板（背面基板）
１５，２５                      …第２隔壁
１５Ａ，２５Ａ                  …第２横壁（第２横壁部）
１５Ｂ，２５Ｂ                  …第２縦壁（第２縦壁部）
１６，２６                      …第１蛍光体層
１７，２７                      …第２蛍光体層
Ｃ１，Ｃ２                      …放電セル（単位発光領域）
Ｄ１                            …列電極
Ｓ１                            …放電空間
ＳＬ１                          …第１間隙
ＳＬ２                          …第２隙間
Ｘ１，Ｙ１，Ｘ２，Ｙ２          …行電極
Ｘ１ａ，Ｙ１ａ，Ｘ２ａ，Ｙ２ａ  …バス電極（行電極本体部）
Ｘ１ｂ，Ｙ１ｂ，Ｘ２ｂ，Ｙ２ｂ  …透明電極（行電極突出部）
ｇ１，ｇ２                      …放電ギャップ
ｒ１、ｒ２                      …隙間
【図１】
2007066570.tif 000003
【図２】
2007066570.tif 000004
【図３】
2007066570.tif 000005
【図４】
2007066570.tif 000006
【図５】
2007066570.tif 000007
【図６】
2007066570.tif 000008
【図７】
2007066570.tif 000009
【図８】
2007066570.tif 000010
【図９】
2007066570.tif 000011
【図１０】
2007066570.tif 000012
【図１１】
2007066570.tif 000013